(57)【特許請求の範囲】
【請求項１】
少なくとも１つの底壁、上壁、後壁、前壁、および２つの側壁を有する本体を備える包装であって、
前記本体の前記前壁が、前記包装の前記本体を開閉するために、第３のヒンジによって、前記前壁を前記第３のヒンジの周りに旋回させるための前記本体の前記側壁のうちの一方に結合され、
当該包装は、延長フラップをさらに備え、
前記延長フラップは、第１のヒンジによって前記本体の縁に結合され、これにより、前記第１のヒンジが前記包装の前記後壁と前記上壁との間に位置付けられ、
前記延長フラップは第１の壁及び第２の壁を備え、前記第１の壁と前記第２の壁とは第２のヒンジにより結合され、前記延長フラップの前記第２の壁の内面上に、溝、或いは、１つまたは複数の突起が形成されており、
前記延長フラップは、前記包装に結合され、前記包装の前記本体に対する第１の位置と第２の位置との間で前記第１のヒンジの周りに旋回されるように構成され、前記第1のヒンジは、前記延長フラップが前記第２の位置にある際、１８０°より大きい角度αを有し、前記延長フラップが、前記包装が静置する平面に対して傾斜した位置で前記包装の前記本体がしっかりと立つように、前記延長フラップの前記第２の位置において前記包装を支持するようにさらに構成されており、前記延長フラップが前記第２の位置にある際、前記本体の下方縁は、前記溝、或いは、１つまたは複数の突起において静置することを特徴とする包装。
【請求項２】
前記延長フラップが、前記第１の位置において前記本体を少なくとも部分的に包囲する、請求項１に記載の包装。
【請求項３】
前記延長フラップが、前記第１の位置において前記本体に取り外し可能に結合される、請求項１または２に記載の包装。
【請求項４】
前記延長フラップと前記本体とが結合機構によって結合される、請求項３に記載の包装。
【請求項５】
前記結合機構が、磁性、磁気インク、ベルクロ（登録商標）、ボタン、差し込みフラップ、接着、面ファスナ、押込み嵌め、磁気および／もしくはスナップファスナの連結、または切り取り線に基づく、請求項４に記載の包装。
【請求項６】
前記延長フラップの前記第１の壁が、前記本体の第１の側または第１の壁を覆い、前記延長フラップの前記第２の壁が、前記本体の第２の側または第２の壁を覆う、請求項１から５のいずれか一項に記載の包装。
【請求項７】
前記本体の前記第１の側が前記本体の上側であり、および／または、前記第２の側が前記本体の前側である、請求項６に記載の包装。
【請求項８】
前記延長フラップの前記第１の壁が、少なくとも前記本体の前記上壁の大きさを有し、前記第２の壁が、少なくとも前記本体の前記前壁の大きさを有する、請求項６から７のいずれか一項に記載の包装。
【請求項９】
前記包装が、平行六面体の形と、斜めの縁とを有する、請求項１から８のいずれか一項に記載の包装。
【請求項１０】
前記本体の壁、および／または、前記延長フラップの任意の壁、および／または、前記第１、第２及び第３のヒンジのうちのいずれか１つが、前記第１、第２及び第３のヒンジのうちのいずれか１つの周りの回転角度が制限されるように構成される、請求項１から９のいずれか一項に記載の包装。
【請求項１１】
追加の外側包装をさらに備える、請求項１から１０のいずれか一項に記載の包装。
【請求項１２】
前記延長フラップが、前記第１の壁および／または前記第２の壁をさらなる部分的な壁へとヒンジにより分割するための折り目またはヒンジ線を備える、請求項１から１１のいずれか一項に記載の包装。
【発明の詳細な説明】
【技術分野】
【０００１】
本発明は、喫煙および／または煙草に関する品物のための包装と、包装を製造するためのブランクおよび方法とに関する。
【背景技術】
【０００２】
巻き煙草または葉巻の包装、さらに、巻き煙草またはシガリロなど、煙草に関する品物は、実質的に立方形または平行六面体の形を有する使い捨ての包装にしばしば収容されている。包装または包装カートンは、通常、開けられ、巻き煙草または巻き煙草の包装が、客人の前で開いた包装を保持することによって、他の人に提供される。客人は品物を包装から取り出すこと
ができ、主人は包装を再び閉じる。しかしながら、特定の状況に応じて、気前の良さまたは礼儀正しさの印として包装を、魅力的な状態で開けたままにし、それによって、客人がさらに要求する必要なしに提供したまま保てることが望ましい可能性があり、これは、通常、品物を包装から取り出し、品物を開いた箱に置くことを必要とする。この理由は、従来の包装が壊されるか自動的に開けたまま保持されないかのいずれかであることである。これは、巻き煙草パックのためのより大きな包装ユニットである箱または包装カートン（一包みとも呼ばれる）に特に当てはまる。典型的には、１０パックの巻き煙草が、紙または厚紙のブランクによって包まれる１つのこのような包装を形成するために組み合わされる。それぞれの包装カートンは、特定の数の別々の包装がテーブル上に大雑把に残るようにすべて取り出される、または、残っている巻き煙草が包装カートン内に維持され、カートンを再び開けることを必要とするかのいずれかである。
【発明の概要】
【発明が解決しようとする課題】
【０００３】
包装または包装カートンから喫煙に関する品物または煙草に関する品物を提供するために包装または包装カートンを、魅力的な状態で開けたままにすることができる喫煙または煙草に関する品物のための包装カートンおよび包装を提供することが、本発明の目的である。同じく、包装または包装カートンを製造するためのそれぞれの方法を提供することと、包装を製造するための１つまたは複数のブランクを提供することとが、本発明の目的である。
【課題を解決するための手段】
【０００４】
本発明の態様によれば、喫煙品物および／または煙草に関する品物のための包装または包装カートンが提供される。本明細書内において、包装という用語は包装カートンも含んでいる。包装は、少なくとも１つの底壁、上壁、後壁、および２つの側壁を有する本体を備える。包装は、包装に結合され、包装の本体に対する第１の位置と第２の位置との間で第１のヒンジの周りに旋回されるように構成される延長フラップをさらに備える。第１の位置において、フラップは本体に接触して位置する。第２の位置において、延長フラップの第１の壁は本体から離れた方を向く。延長フラップは、パッケージの本体が（水平）面および／または平坦面に対して傾斜した位置を取るように、延長フラップの第２の位置において包装を支持するようにさらに構成される。これは、包装の魅力的な位置を提供し、包装の内容物が容易にアクセスされ得る。
【０００５】
有利には、包装、またはより明確には、包装の本体は、延長フラップにおいて固定位置を取り、延長フラップの第２の位置で、延長フラップにおいてしっかりと立つ。別の言い方をすれば、延長フラップは第２の位置に留まることができ、包装は、その後側が面を向いて延長フラップにおいて静置する状態で、その面に置くことができ、それによって包装に終了されている品物の魅力的な提供を行う。品物は、巻き煙草パッケージ、葉巻もしくは小さい葉巻のパッケージ、または、例えば、巻き煙草、電子煙草、葉巻、もしくはスヌースなど、喫煙の品物もしくは煙草に関する品物といった細長い品物であり得る。第２の位置は、好ましくは、ヒンジによって提供されるあらゆる弾性力がパッケージを移動または持ち上げるほどの大きさとはならない程度に安定しており、それによって支持する延長フラップの位置を変更する。包装は、それ自体で他の位置へと戻ることはできない。この程度まで、第２位置は安定した開位置として称することもできる。
【０００６】
延長フラップは、本体の壁の一体部品を形成しない。延長フラップは本体に結合されるが、例えば、本体の壁の切り抜きではない。延長フラップは追加の要素である。特に、延長フラップは本体の後壁の一部ではない。
【０００７】
延長フラップは、第１のヒンジによって、包装の本体の縁に結合されてもよい。延長フラップが結合される本体の縁は、第１のヒンジが包装の後壁と上壁と延長フラップとの間に位置付けられるように、本体の後壁の上方縁であり得る。これは、フラップが包装の本体の後方で旋回でき、後側（後壁側）から包装を支持でき、本体の前方が客人の方を向くことを提供する。
【０００８】
延長フラップは、第１の位置において本体を少なくとも部分的に包囲する。別の言い方をすれば、フラップは、本体の周りに多かれ少なかれ巻き付けられ、第１の位置で本体を覆うまたは包む。
【０００９】
有利には、第１のヒンジによる結合に加えて、延長フラップはさらに、第１の位置において本体に取り外し可能に結合され得る。延長フラップと本体との間のこの追加的な結合機構は、第１の位置において、フラップを本体に接触させて保持する。結合は、接着、面ファスナ、押込み嵌め、磁気、および／もしくはスナップファスナの連結であり得る。結合機構は、磁性、磁気インク、ベルクロ（登録商標）、ユポタコ（Ｙｕｐｏ  Ｔａｋｏ）、ボタン、タックインフラップに基づいてもよい。他の構成では、延長フラップは、延長フラップが本体に常に結合されたままである第１のヒンジを除いて、切り取り線（ミシン目）によって本体の壁に結合されてもよい。他の有利な機構は磁性である。この目的のために、磁気部品が、延長フラップおよび本体へとそれぞれ対応する位置において組み込まれてもよい。
【００１０】
延長フラップは、少なくとも第１の壁と第２の壁とを備えることができる。第１の壁と第２の壁とは第２のヒンジによって結合され得る。延長フラップの第１の位置において、第１の壁は、本体の第１の側または第１の壁を覆うことができ、第２の壁は、本体の第２の側または第２の壁を覆うことができる。本体の第１の側は、本体の上側であり得る。同様に、本体の第１の側は上壁であり得る。第２の側は、本体の前側であり得る。これは、延長フラップが、本体の上壁および／または前壁として少なくとも部分的に作用できることを意味する。他の実施形態では、本体は、完全な上壁と完全な前壁とを備えてもよい。したがって、第１の壁が上壁であり、第２の壁が包装の前壁であり、両方が第１の位置で延長フラップによって覆われる。
【００１１】
包装は、第２の位置において本体が延長フラップの第２の壁と本体の後壁の下方縁（例えば、本体の後壁と底壁との間の縁）とにおいて静置するようにさらに構成され得る。しかしながら、後壁の下方縁はまた、延長フラップの第２の壁において静置してもよい。これは、第２の位置において包装がしっかりと立つのをさらに支持する。
【００１２】
延長フラップの第１の壁は、少なくともおおよそ本体の上壁の大きさを有し、第２の壁は、少なくともおおよそ本体の前壁の大きさを有し得る。
【００１３】
本体の前壁は、包装の本体を開閉するために、第３のヒンジによって、前壁を第３のヒンジの周りに旋回させるための本体の側壁のうちの一方に結合され得る。
【００１４】
包装は様々な形を有し得る。包装は、実質的に平行六面体の形を有し得る。しかしながら、包装の縁は、丸められてもよい、または、斜めにされてもよい。包装の断面の形は、半八角形または八角形であり得る。特に、本体の縦方向および／または横方向の縁は、有利には丸められた縁であり得る、または、縁は平らな縁（平らな角）または斜めの縁であり得る。
【００１５】
本体の壁および／または延長フラップの壁は、第１、第２、および／または第３のヒンジのうちのいずれか１つの周りの回転角度が制限されるように構成され得る。これは、しっかりと立つことを支持し、例えば、延長フラップが本体の後壁に向かって遠くに旋回され過ぎないことで、延長フラップの第２の位置において包装を適切に支持し損ね得るのを防止する。ヒンジのうちのいずれかの回転角度は、ヒンジのいずれかの側におけるそれぞれ２つの壁の縁が当接し、それによってヒンジの周りの回転を停止するように、壁の厚さによって制限されてもよい。特には第１のヒンジおよび第２のヒンジである、ヒンジのうちのいずれか１つの周りの回転角度のいずれについての有利な範囲は、１６０°から約３６０°の間であり、好ましくは１８０°から３４０°の間である。
【００１６】
実施形態では、少なくとも第２のヒンジは、１８０°未満の回転角度を有し得る。このような実施形態では、第２の壁は、他の実施形態においてよりも反対角度において回転可能であり得る。第１の位置（閉位置）における第１の壁と第２の壁との間の初期角度は約９０°である。これは、典型的には、他の実施形態においての場合であってもよい。第１の壁は、他の実施形態と同様に第１のヒンジの周りに旋回できる。しかしながら、第２の壁は、第２のヒンジの周りに他の実施形態においてと同じ方向で旋回できない。側方の視点から、第１の壁が時計回り方向で旋回される場合、または、回転可能である場合、第２の壁はむしろ、第２のヒンジの周りに反時計回り方向で旋回される、または、回転可能である。包装は、延長フラップ上でしっかりと立つ。しかしながら、第２の壁の外側縁は、ここでは本体の底壁の後底縁から離れた方を向く。この実施形態では、第２のヒンジは、有利には、回転の角度についての制限機構を有し得る。この機構は、壁の厚さによって、および／または、第２のヒンジの構成によって、提供され得る。
【００１７】
概して、延長フラップであって、特に、第２の壁は、本体が延長フラップから滑るのを防止するために停止部材を有し得る。停止部材は溝または切欠きであり得る。停止部材は、延長フラップにおける１つまたは複数の突起であってもよい。溝、切欠き、１つまたは複数の突起は、特には、延長フラップの第２の壁の内側に配置され得る。したがって、本体、特に、本体の下方縁は、溝において、あるいは、１つまたは複数の突起において静置できる。
【００１８】
本発明の態様では、延長フラップであって、特に、第１の壁および／または第２の壁は、第１の壁および／または第２の壁をさらなる部分的な壁へとヒンジにより分割するための１つまたは複数の折り目またはヒンジ線を備え得る。
【００１９】
さらに、包装は、先に記載した包装を包囲した追加の外側包装をさらに備えてもよい。
【００２０】
本発明は、本発明の態様および実施形態による包装を製造するためのブランクも提供する。
【００２１】
本発明は、本発明の態様および実施形態による包装を製造するための方法をさらに提供する。
【００２２】
本発明のさらなる態様および特性は、添付の図面を参照しつつ、本発明の好ましい実施形態についての説明から生じる。
【図面の簡単な説明】
【００２３】
【図１】実施形態による延長フラップの第１の位置における包装についての単純化された斜視図である。
【図２】実施形態による延長フラップの第２の位置における包装についての単純化された斜視図である。
【図３】実施形態による延長フラップの第２の位置における包装についての別の単純化された斜視図である。
【図４】実施形態による第１の位置から第２の位置への延長フラップの移動を示す包装についての単純化された一連の側面図である。
【図５】実施形態による第１の位置から第２の位置への延長フラップの移動を示す包装についての単純化された一連の側面図である。
【図６】実施形態による第１の位置から第２の位置への延長フラップの移動を示す包装についての単純化された一連の側面図である。
【図７】包装の実施形態の単純化された図である。
【図８】包装の別の実施形態の単純化された図である。
【図９】包装のなおも別の実施形態の単純化された図である。
【発明を実施するための形態】
【００２４】
図１は、実施形態による延長フラップの第１の位置における包装についての単純化された斜視図である。包装１は、底壁３（見ることができない）と、上壁４と、後壁５（見ることができない）と、２つの側壁６、７（側壁７は見ることができない）とを有する本体２を備えている。この実施形態において、本体２は前壁８を有している。包装１は、包装１に結合されている延長フラップ９をさらに備えている。延長フラップ９は、第１の位置にあり、上壁４と前壁８とを包囲している。別の言い方をすれば、延長フラップ９は、本体２の周りに少なくとも部分的に巻き付けられ、第１の位置で本体２を覆うまたは包む。延長フラップ９は、包装１の本体２に対する第１の位置と第２の位置との間（順次の図で示されている）で第１のヒンジ１０の周りに旋回されるように構成されている。
【００２５】
第１のヒンジによる結合に加えて、延長フラップ９はさらに、追加の機構によって、第１の位置において本体２にさらに取り外し可能に結合されている。延長フラップと本体との間のこの追加的な結合機構（見ることができない）は、第１の位置において、フラップ９を本体２に接触させて保持する。この実施形態では、結合は磁性に基づく。この目的のために、磁気部品（最終的な包装においては見ることができない点線）が、延長フラップ９および本体２へとそれぞれ対応する位置１１において組み込まれている。第１のヒンジ
【００２６】
他の実施形態では、追加の結合機構は、接着、面ファスナ、押込み嵌め、磁気、および／もしくはスナップファスナの連結であり得る。結合機構は、磁性、磁気インク、ベルクロ（登録商標）、ユポタコ、ボタン、タックインフラップに基づいてもよい。他の構成では、延長フラップ９は、延長フラップが本体に常に結合されたままである第１のヒンジを当然ながら除いて、切り取り線（ミシン目）によって本体２の壁に結合されてもよい。
【００２７】
延長フラップは第１の壁１２と第２の壁１３とを備えている。第１の壁１２と第２の壁１３とは第２のヒンジ１４によって結合される。延長フラップ９の示した第１の位置では、第１の壁１２は本体２の上壁４を覆い、第２の壁１３は本体２の前壁８を覆っている。
【００２８】
延長フラップ９の第１の壁１２は、斜めの縁１５を除いて、本体２の上壁４の大きさをおおよそ有している。第２の壁１３は、斜めの縁１６を除いて、本体２の前壁８の大きさをおおよそ有している。
【００２９】
延長フラップ９は、第１のヒンジ１０によって、包装の本体の縁１７に結合されている。延長フラップ９は、例えば壁の切欠きとしてといった、本体２の壁の一部を形成していない。延長フラップ９は追加の要素である。特に、延長フラップ９は本体２の後壁５の一部ではない。延長フラップ９が結合されている本体２の縁１７は、第１のヒンジが包装の後壁５と上壁４と延長フラップとの間に位置付けられるように、本体２の後壁５の上方縁である。これは、フラップ９が包装１の本体２の後方で旋回でき、後側（後壁側）から包装１を支持できる。
【００３０】
包装は様々な形を有し得る。この実施形態では、包装１は実質的に平行六面体の形を有している。本体２の縦方向および横方向の縁１５、１６は斜めの縁である。本体の周りの線（符号なし）は、技術的に機能を有しておらず、審美的目的だけのために作用する。
【００３１】
図２および図３は、図１においても示されている包装１の同じ実施形態の延長フラップの第２の位置における包装１についての単純化された斜視図である。第２の位置において、延長フラップ９は本体２から離れた方を向いている。延長フラップ９は、包装の本体２が延長フラップにおいてしっかりとした傾斜した位置を取り、延長フラップの第２の位置において延長フラップにおいてしっかりと斜めに立つように、延長フラップ９の第２の位置において包装１（または、どちらかと言えば本体２）を支持するようにさらに構成されている。本体２は、（水平）面１８に対して傾斜した位置または斜めの位置を有している。これは、包装１の魅力的な位置を提供し、包装１の内側空間１９が容易にアクセスされ得る。本体２は、延長フラップ９の第２の壁１３において静置する。本体は、本体２の後壁５の下方縁２１（後壁５と底壁３との間の縁）においても静置する。しかしながら、後壁５の下方縁２１はまた、延長フラップ９の第２の壁１３において静置してもよい。
【００３２】
包装の本体２は、延長フラップ９の第２の位置で、延長フラップ９においてしっかりと立つような姿勢となる。第２の位置において、包装は、その後側が面１８を向いて延長フラップ９において静置する状態で、その面に置くことができる。品物（図示されていない）は、巻き煙草パッケージ、葉巻（小さい葉巻）のパッケージ、または、例えば、巻き煙草、電子煙草、葉巻、もしくはスヌースなど、喫煙の品物もしくは煙草に関する品物といった細長い品物であり得る。
【００３３】
第２の位置は、ヒンジ１０、１４によって提供されるあらゆる弾性力がパッケージ１を移動または持ち上げるほどの大きさとはならない程度に安定しており、それによって支持する延長フラップ９の位置を変更する。包装１は、それ自体で他の位置へと戻ることはできない。
【００３４】
本体２の前壁８は、包装１の本体２の内側空間１９を開閉するために、第３のヒンジ２０によって、前壁８を第３のヒンジ２０の周りに旋回させるための本体２の側壁のうちの一方（ここでは側壁７）に結合されている。
【００３５】
本体２の壁および／または延長フラップ９の壁は、第１、第２、および／または第３のヒンジ１０、１４、２０のうちのいずれか１つの周りの回転角度α、β、および／またはγが制限されるように構成されている。これは、しっかりと立つことを支持し、例えば、延長フラップ９が本体２の後壁５に向かって遠くに旋回され過ぎないことで、延長フラップ９の第２の位置において包装１を適切に支持し損ね得るのを防止する。ヒンジのうちのいずれかの回転角度α、β、および／またはγは、ヒンジ１０、１４、２０のいずれかの側におけるそれぞれ２つの壁の縁が当接し、それによってヒンジ１０、１４、２０の周りの回転を停止するように、第１の壁１２、第２の壁１３、および本体の壁５、７、８の厚さ、ならびに／または、ヒンジ１０、１４、２０の特定の構成によって、制限され得る。
【００３６】
図４〜図６は、実施形態による第１の位置から第２の位置への延長フラップの移動を示す包装についての単純化された一連の側面図である。第１のステップでは（図４）、延長フラップ９の第２の壁１３が第２のヒンジ１４の周りに旋回され、それによって包装１の本体２の前壁８から離すように旋回される。第２のステップでは（図５）、延長フラップ９の第２の壁１３が、第２のヒンジ１４の周りにさらに旋回され、延長フラップ９の第１の壁１２が第１のヒンジ１０の周りで旋回を開始するように本体２の後壁５の側に向かって移動されてもいる。この移動は、本体２の後壁５と延長壁の第１の壁１２とが１８０°より大きく３６０°より小さい角度αを取り、延長フラップ９の第１の壁１２および第２の壁１３が同じく１８０°より大きく３６０°より小さい角度β（最大で約３４０°）を取るまで続く（図６）。ここで、包装は、図２および図３において示したように、延長フラップの第２の壁１３に置いておくことができる。したがって、前壁８は開けることができ、開けたままにできる。
【００３７】
図７は、包装１の若干異なる実施形態の単純化された図である。実施形態は、先の図で示したものと実質的に同じである。しかしながら、ここでは、延長フラップ９は、第１の壁１２および／または第２の壁１３内に追加の折り目またはヒンジ２２または４２をさらに備えており、それによって、追加的な壁、つまり、壁１２Ｂおよび／または１３Ｂを第３および／または第４の壁として作り出している。これは、外側の部分１２Ａおよび／または１３Ａを、包装の後壁５の方へとさらに後向きに折ることができることを可能にする。折り目またはヒンジ２２または４２のそれぞれの任意の反対側にある第１の壁１２の２つの部分１２Ａおよび１２Ｂ、ならびに／または、第２の壁１３の２つの部分１３Ａおよび１３Ｂは、ここでは１８０°より小さい角度δを取る。第２の壁１３の外側縁２３は、ここでは本体の後壁５と接触することができ、第１のヒンジ１０とさえ接触することができる。これは、非常に安定した主として三角形の支持脚を包装１に提供する。角度αは、ここでは１８０°より小さくてもよい。
【００３８】
この態様によれば、延長フラップ９であって、特に、第１の壁１２および／または第２の壁１３は、第１の壁１２および／または第２の壁１３をさらなる部分的な壁１２Ａ、１２Ｂおよび１３Ａ、１３Ｂへとヒンジにより分割するための１つまたは複数の折り目またはヒンジ線を備えている。
【００３９】
図８は、包装１のなおも別の実施形態の単純化された図である。この実施形態の包装は、ここでは外側包装２４も備えている。外側包装２４は、内側包装１を覆っており、第１のステップにおいて取り外されなければならない。内側包装１は、本体２の上方の壁４および本体の前壁８の実質的な一部が延長フラップ９の壁１２、１３によって提供されていることを除いて、先に記載した実施形態と実質的に同様である。これは、延長フラップ９が、本体２の上壁４および／または前壁８として少なくとも部分的に作用することを意味している。延長フラップの壁１２、１３は、延長フラップ９が本体２に常に結合されたままである第１のヒンジを除いて、切り取り線２５（ミシン目）によって本体の壁に結合されている。
【００４０】
特に、図１〜図６および図８に示した実施形態では、延長フラップ９であって、特に、第２の壁１３は、本体が延長フラップから滑るのを防止するために停止部材を有し得る。停止部材は溝または切欠きであり得る。停止部材はまた、延長フラップにおける１つまたは複数の突起であってもよい。溝、切欠き、１つまたは複数の突起は、特には、延長フラップ９の第２の壁１３の内側に配置され得る。したがって、本体２、特に、本体２の下方縁２１は、溝において、あるいは、１つまたは複数の突起において静置できる。
【００４１】
図９は、包装１のなおも別の実施形態の単純化された図である。この実施形態では、第２の壁１３は、他の実施形態においてよりも反対角度において実際に旋回される。第１の位置（閉位置）における第１の壁１２と第２の壁１３との間の初期角度は９０°である。これは、他の実施形態にも当てはまり得る。第１の壁１２は、他の実施形態と同様に第１のヒンジ１０の周りに旋回できる。しかしながら、第２の壁１３は、第２のヒンジ４の周りに他の実施形態においてと同じ方向で旋回されない。側方の視点から、第１の壁１２は時計回り方向で旋回される場合、または、回転可能である場合、第２の壁１３はむしろ、第２のヒンジ１４の周りに反時計回り方向で旋回される、または、回転可能である。包装は、延長フラップ９上でしっかりと立つ。しかしながら、第２の壁１３の外側縁は、ここでは本体２の底壁３の後底縁２１から離れた方を向く。この実施形態では、第２のヒンジ１４は、好ましくは、回転の角度についての制限機構を有し得る。この機構は、壁１２、１３の厚さによって、および／または、第２のヒンジ１４の構成によって、提供され得る。
【００４２】
本発明が特定の実施形態を参照して上記で説明されてきたが、これらの実施形態に限定されず、請求されているような本発明の範囲内にあるさらなる代替を当業者が思い付くことに疑いはない。
【符号の説明】
【００４３】
１  包装
２  本体
３  底壁
４  上壁
５  後壁
６、７  側壁
８  前壁
９  延長フラップ
１０  第１のヒンジ
１１  対応する位置
１２  第１の壁
１２Ａ、１２Ｂ  部分的な壁
１３  第２の壁
１３Ａ、１３Ｂ  部分的な壁
１４  第２のヒンジ
１５  斜めの縁
１６  斜めの縁
１７  縁
１８  （水平）面
１９  内側空間
２０  第３のヒンジ
２１  下方縁、後底縁
２２  折り目、ヒンジ
２３  外側縁
２４  外側包装
２５  切り取り線
４２  折り目、ヒンジ
α  第１のヒンジの回転角度
β  第２のヒンジの回転角度
γ  第３のヒンジの回転角度
δ  角度
【図１】
0006403874.tif 000002
【図２】
0006403874.tif 000003
【図３】
0006403874.tif 000004
【図４】
0006403874.tif 000005
【図５】
0006403874.tif 000006
【図６】
0006403874.tif 000007
【図７】
0006403874.tif 000008
【図８】
0006403874.tif 000009
【図９】
0006403874.tif 000010